(57)【特許請求の範囲】
【請求項１】
１回に適用される薬剤を収容する容器の複数が積層された容器積層ユニットを収納でき、かつ該容器を外部に送出可能な開口部を有するハウジングと、
前記容器積層ユニットの下端にあり前記開口部に臨んだ一の容器の少なくとも一部を、前記開口部から前記ハウジングの外部へ送出する送出機構と、
薬剤の適用情報が記憶され、この適用情報に基いて薬剤の適用時に前記送出機構の駆動を制御する制御手段と、
薬剤の適用情報を前記制御手段に入力する入力手段と、
薬剤の適用時間より所定時間が経過しても一の容器が抜き出されなかった場合に、前記開口部から一部が送出された一の容器を該開口部から前記ハウジングの内部へ引き戻して回収する引戻機構であって、前記ハウジングの内部へ引き戻して回収した一の容器を再利用可能な状態とする引戻機構と、
を備え、
前記ハウジングは、前記容器積層ユニットを複数収納しており、各容器積層ユニットがそれぞれ前記送出機構を備え、
前記送出機構は、前記容器積層ユニットの一端にある一の容器を前記開口部へ向けて送る送出部材であり、
前記制御手段は、前記入力手段からの入力情報に基いて、前記送出機構の駆動を制御し、
さらに前記制御手段は、薬剤の適用パターンに応じた複数の服用プログラムを記憶し、前記入力手段からの入力情報に基いて所望の服用プログラムを選択し、該選択した服用プログラムに基いて、前記送出機構の駆動を制御し、
前記開口部から一の容器が抜出された後、次の容器をその自重により該開口部に移動させるように構成された、薬剤服用管理装置。
【請求項２】
１回に適用される薬剤を収容する容器の複数が積層された容器積層ユニットを収納でき、かつ該容器を外部に送出可能な開口部を有するハウジングと、
前記容器積層ユニットの下端にあり前記開口部に臨んだ一の容器の少なくとも一部を、前記開口部から前記ハウジングの外部へ送出する送出機構と、
薬剤の適用情報が記憶され、この適用情報に基いて薬剤の適用時に前記送出機構の駆動を制御する制御手段と、
薬剤の適用情報を前記制御手段に入力する入力手段と、
薬剤の適用時間より所定時間が経過しても一の容器が抜き出されなかった場合に、前記開口部から一部が送出された一の容器を該開口部から前記ハウジングの内部へ引き戻して回収する引戻機構であって、前記ハウジングの内部へ引き戻して回収した一の容器を再利用可能な状態とする引戻機構と、
を備え、
前記ハウジングは、前記容器積層ユニットを複数収納しており、各容器積層ユニットがそれぞれ前記送出機構を備え、
前記送出機構は、前記容器積層ユニットの一端にある一の容器を前記開口部へ向けて送る送出部材であり、
前記制御手段は、前記入力手段からの入力情報に基いて、前記送出機構の駆動を制御し、
さらに前記制御手段は、薬剤の適用パターンに応じた複数の服用プログラムを記憶し、前記入力手段からの入力情報に基いて所望の服用プログラムを選択し、該選択した服用プログラムに基いて、前記送出機構の駆動を制御し、
前記開口部から一の容器が抜出された後、次の容器をその自重により該開口部に移動させるように構成され、
一の容器が抜き出されたことを感知するセンサをさらに備え、前記制御手段は、前記センサの検出データに基いて、前記一の容器が抜出された時間を記憶して、該記憶した情報に基いて、前記送出機構の駆動を制御する、薬剤服用管理装置。
【請求項３】
前記容器は、その前記開口部に臨んだ正面端部に隣接する側面に凹部を有し、前記送出機構は、回動する部材上に固定されたハンドルを有し、該ハンドルが前記容器積層ユニットの一端にある一の容器の前記凹部内に係合しながら移動することによって、該一の容器を前記開口部へ向けて送る、請求項１又は２記載の薬剤服用管理装置。
【請求項４】
前記薬剤が取り出されて空になった前記容器を回収可能な挿入口をさらに備える、請求項１ないし３のいずれか一項に記載の薬剤服用管理装置。
【請求項５】
前記容器が透明または半透明の部材で構成され、内部の薬剤が視認可能である、請求項１ないし４のいずれか一項に記載の薬剤服用管理装置。
【発明の詳細な説明】
【０００１】
【発明の属する技術分野】
本発明は、薬剤を定期的に服用する人が、服用時間、薬剤の種類、及び服用量を誤ることのないようにした薬剤服用管理装置に関する。
【従来の技術】
薬剤を定期的に服用する場合には、薬剤の種類、服用量、服用回数（１日３回等）、飲み方（食前、食後、食間、寝る前、６時間毎等）を守る必要がある。これは、服用量が所定量を上回ったり、服用間隔が短いと、副作用を引き起こす場合があり、一方、服用量が所定量を下回ったり、服用間隔が長いと充分な薬効が得られない場合があるためである。特に、心臓病や血圧に関わる薬剤を飲み過ぎると、重篤な事故につながるおそれがある。
【０００２】
ここで、薬剤を定期的に服用する必要のある人は、通常、処方された薬剤を薬袋に入れて管理している。
【０００３】
【発明が解決しようとする課題】
しかしながら、上記のように薬剤を薬袋に入れて管理する場合、服用者は薬袋の表示と、服用薬剤本体や薬剤の包装材料に書かれている数字やアルファベットとを照合して、服用すべき薬剤を選択する必要がある。この場合、服用時間、薬剤の種類、服用量を誤る場合がある。
【０００４】
そこで、各回に服用すべき薬剤をそれぞれ区分けして収納し、各区分けされたスペースに服用時間を表示した薬管理箱が提案されている。
【０００５】
しかしながら、該薬管理箱に入れて管理した場合であっても、服用時間を誤る場合がある。また、該薬管理箱の各区分け収納された薬剤同士が混合してしまう場合がある。さらに、従来の薬管理箱では設置スペースを大きくとるので、設置スペースを節約する要請もある。
【０００６】
そこで、本発明は、薬剤を定期的に服用する人が、服用時間、薬剤の種類、及び服用量を誤ることなく服用することができる薬剤服用管理装置を提供することを目的とするものである。
【課題を解決するための手段】
本発明による薬剤服用管理装置は、１回に適用される薬剤を収容する容器の複数が積層された容器積層ユニットを収納でき、かつ該容器を外部に送出可能な開口部を有するハウジングと、前記容器積層ユニットの下端にあり前記開口部に臨んだ一の容器の少なくとも一部を、前記開口部から前記ハウジングの外部へ送出する送出機構とを備え、前記開口部から一の容器が抜出された後、次の容器をその自重により該開口部付近に移動させるように構成されたことを特徴とする。
【０００７】
このように構成されているので、服用者は、服用時間、服用種類、服用量を誤ることがなく、適切に服用することができる。
【０００８】
薬剤とは、剤型を問わず、錠剤、カプセル、顆粒、軟膏、クリーム、目薬、坐剤等が含まれる。
【０００９】
前記送出機構は、前記容器積層ユニットの一端にある一の容器を前記開口部へ向けて送る送出部材であってもよい。
【００１０】
前記容器は、前記開口部に臨んだ正面端部に隣接する側面に凹部を有し、前記送出機構は、回動する部材上に固定されたハンドルを有し、該ハンドルが前記容器積層ユニットの一端にある一の容器の前記凹部内に係合しながら移動することによって、該一の容器を送出するものであってもよい。
【００１１】
前記ハウジングは、前記容器積層ユニットを複数収納しており、各容器積層ユニットがそれぞれ前記送出機構を備えていてもよい。
【００１２】
前記ハウジングは、前記容器積層ユニットを３つ収納しており、該容器積層ユニットは、朝に適用する薬剤を収容する容器が積層された朝用容器積層ユニットと、昼に適用する薬剤を収容する容器が積層された昼用容器積層ユニットと、夜に適用する薬剤を収容する容器が積層された夜用容器積層ユニットとからなってもよい。
【００１３】
上記の薬剤服用管理装置は、薬剤の適用情報が記憶され、この適用情報に基いて薬剤の適用時に前記送出機構の駆動を制御する制御手段を、さらに備えることが好ましい。
【００１４】
このように構成されているので、予め各容器に処方箋どおりに１回に適用される薬剤を入れておくだけで、服用時刻になると自動的に送出機構が駆動され、容器の少なくとも一部がハウジングの外部へ送出されるので、服用者は服用時刻、種類、量を誤ることがなく正しく服用することができる。
【００１５】
上記の薬剤服用管理装置は、薬剤の適用情報を前記制御手段に入力する入力手段をさらに備え、前記制御手段は、前記入力手段からの入力情報に基いて、前記送出機構の駆動を制御してもよい。
【００１６】
前記制御手段は、薬剤の適用パターンに応じた複数の服用プログラムを記憶し、前記入力手段からの入力情報に基いて所望の服用プログラムを選択し、該選択した服用プログラムに基いて、前記送出機構の駆動を制御してもよい。
【００１７】
上記の薬剤服用管理装置は、薬剤の適用時間を報知するアラーム出力部をさらに備え、前記制御手段は、前記入力手段からの入力情報に基いて、前記送出機構の駆動を制御するとともに、該アラーム出力部の駆動を制御するものであってもよい。
【００１８】
上記の薬剤服用管理装置は、一の容器が抜き出されたことを感知するセンサをさらに備え、前記制御手段は、該センサの検出データに基いて、前記送出機構の駆動を制御するものであってもよい。
【００１９】
上記の薬剤服用管理装置は、薬剤の適用時間より所定時間が経過しても一の容器が抜き出されなかった場合に、前記開口部から一部が送出された一の容器を該開口部から前記ハウジングの内部へ引き戻す引戻機構をさらに備えていてもよい。
【発明の実施の形態】
以下、本発明の実施の形態を、図面を参照しながら説明する。
【００２０】
（第１の実施の形態）
実施形態１は、各回に適用される薬剤をそれぞれ収容したトレイを順次送出可能な薬剤服用管理装置に係るものである。
【００２１】
図１は、実施形態１に係る薬剤服用管理装置の正面図であり、図２は図１のＩ−Ｉ断面図であり、図３はトレイのふたを開けた状態を示す斜視図である。
【００２２】
図１に示すように、薬剤服用管理装置２００は、ハウジング１０４と、朝用のタワー部１０と、昼用のタワー部２０と、夜用のタワー部３０とを備えている。朝用のタワー部１０、昼用のタワー部２０、夜用のタワー部３０には、それぞれ朝昼夜毎に服用する薬剤を収容したトレイが備えられる。ハウジング１０４には各タワー部の種別（朝服用、昼服用、夜服用）を定義するシール１６、２６、３６が貼付されている。
【００２３】
図１及び図２に示すように、朝用のタワー部１０は、薬剤を収容可能な７つのトレイ１ａ〜１ｇが積層されたトレイ積層ユニット１と、トレイ積層ユニット１の下端に位置するトレイ１ｇの後方に配置された送出部材であるスロープ１０８とを有している。
【００２４】
ハウジング１０４は、トレイ積層ユニット１の下端付近にトレイ排出口（開口部）１８を有しており、また、トレイ積層ユニット１の上端付近にトレイ挿入口１８０を有している。図１に示すように薬剤服用管理装置２００の朝用タワー部１０を正面から見た場合に、トレイ排出口１８からトレイ積層ユニット１の下端に位置するトレイ１ａの正面端部が見え、トレイ挿入口１８０からトレイ積層ユニット１の上端に位置するトレイ１ｇの正面端部が見える状態になっている。ハウジング１０４の正面は開閉できるようになっている。
【００２５】
図３に示すように、トレイ１ａは、受皿部５１と蓋部５２とから構成される箱体をなしている。トレイ１ａは、内部に収容する薬剤が見えるように、透明（又は半透明）な部材から構成される。トレイ１ｂ〜１ｇの構成についても、トレイ１ａと同様である。
【００２６】
昼用のタワー部２０、並びに夜用のタワー部３０についても、上述の朝用のタワー部１０と同様にそれぞれトレイ積層ユニット２ないし３、及びスロープが設けられている。昼用のタワー部２０のトレイ積層ユニット２は、トレイ２ａ〜２ｇ（一部図示は省略する）が積層されて構成され、トレイ２ａ付近にはトレイ排出口２８、トレイ２ｇ付近にはトレイ挿入口２８０がある。夜用のタワー部３０のトレイ積層ユニット３は、トレイ３ａ〜３ｇ（一部図示は省略する）が積層されて構成され、トレイ３ａ付近にはトレイ排出口３８、トレイ３ｇ付近にはトレイ挿入口３８０がある。
【００２７】
次に、上述の薬剤服用管理装置２００の動作を説明する。
【００２８】
まず、医師、薬剤師、服用者本人、その他服用を補助する者（以下、これらを総称して便宜上「ユーザー」という）は、各トレイ１ａ〜１ｇ、２ａ〜２ｇ、３ａ〜３ｇに１回に服用する薬剤を収納する。具体的には、例えば、１日３回１週間服用する場合には、１ａに１日目朝服用分の薬剤を、２ａに１日目昼服用分の薬剤を、３ａに１日目夜服用分の薬剤を入れる。１ｂ、２ｂ、３ｂには２日目の朝昼夜服用分の薬剤をそれぞれ入れ、１ｃ、２ｃ、３ｃには３日目の朝昼夜服用分の薬剤をそれぞれ入れ、以下同様にして、トレイ積層ユニットの最上部の１ｇ、２ｇ、３ｇには７日目の朝昼夜服用分の薬剤をそれぞれ入れる。
【００２９】
次に、ハウジング１０４の正面側プレートを開け、朝用タワー部１０内に各トレイを下方から１ａ〜１ｇの順にトレイが積層されるようにセットする。同様にして、昼用タワー部２０内に各トレイを下方から２ａ〜２ｇの順にトレイが積層されるようにセットし、夜用タワー部３０内に各トレイを下方から３ａ〜３ｇの順にトレイが積層されるようにセットする。そして、ハウジング１０３の正面側のプレートを閉じる。
【００３０】
このとき、図２に示すように、トレイ積層ユニット１の下端部に位置するトレイ１ａの後方にはスロープ１０８が設けられているので、トレイ１ａはその自重及び上部に積層されたトレイ１ｂ〜１ｇの重さにより下方へ移動するとともに、後端部においてハンドル１０８から矢印Ｂ方向に力を受けるため、トレイ１ａの一部（正面側）がトレイ排出口１８からＢ方向に突出する。
【００３１】
ユーザーは、トレイ排出口１８から突出したトレイ１ａの先端部を手で引き出して取り出し、トレイ１ａの蓋部５２を開け、中に収納された１日目朝に服用すべき薬剤を取り出し、服用者は所定の方法で服用する。
【００３２】
ユーザーがトレイ１ａを取り出した後は、トレイ積層ユニットはその自重によって下方へ移動し、トレイ排出口１８からは次のトレイ１ｂの一部がＢ方向に突出する。
【００３３】
同様に、トレイ排出口２８、３８からもトレイ２ａ、３ａがそれぞれ突出しているので、１日目の昼、夜には、それぞれユーザーがトレイ２ａ、３ａを取り出し中に収納された薬剤を服用することができる。以下同様にして、１週間１日３回（朝昼夜）にわたって薬剤服用管理装置２００を使用する。
【００３４】
服用した後の空のトレイは、前記トレイ挿入口１８０、２８０、３８０から挿入しておけば、トレイの回収に便利である。
【００３５】
薬剤服用管理装置２００を１週間使用した後は、再度所定の薬剤を各トレイに収納して、ハウジング１０４内にセットする。
【００３６】
本実施の形態においては、上記の構成を有しているので、トレイ排出口から突出するトレイを引き出すだけで、１回に適用すべき薬剤を収容したトレイが薬剤服用管理装置から送出されるので、ユーザーが、服用時間、服用種類、服用量を誤ることがなく、薬剤の適用を適切に管理することができる。
【００３７】
（第２の実施の形態）
実施形態２は、制御手段により自動的にトレイを順次送出可能な薬剤服用管理装置に係るものである。
【００３８】
図４は、実施形態２に係る薬剤服用管理装置の正面図であり、図５は図４のＩＩ−ＩＩ断面図である。なお、実施形態１と同様の部材には同一の符号を付し、説明を省略する。
【００３９】
実施形態２は、マイコン設定ボタン１０３、ランプ１５１、異常表示ランプ１５２、図示しないマイコン制御部、センサ６１、液晶パネル１０９、を備えている点、トレイ排出機構としてチェーン１４１に固定されたハンドル１４２を用いた点、及びギャードモータ１４７、ランプ１５１、異常表示ランプ１５２、液晶パネル１０９がマイコン制御部により制御されている点が、実施形態１とは異なっている。
【００４０】
図４及び図５に示すように、実施形態２に係る薬剤服用管理装置３００は、ハウジング１０４と、朝用のタワー部１０、昼用のタワー部２０と、夜用のタワー部３０と、図示しないマイコン制御部と、ランプ１５１と、異常表示ランプ１５２と、液晶パネル１０９と、マイコン設定ボタン１０３とを備えている。
【００４１】
朝用のタワー部１０は、トレイ積層ユニット１と、このトレイ積層ユニット１の下部に設けられたトレイ排出機構１４と、センサ６１とを有している。実施形態２においては、トレイ１ａ’〜１ｇ’は、蓋部及び底部の中央部にそれぞれ凹部５３を有している。
【００４２】
トレイ排出機構１４は、一対のローラ１４３と、ローラ１４３に回動可能に支持されるチェーン１４１と、チェーン１４１上に固定されたハンドル１４２と、ローラ１４３に接続されたギャードモータ１４７から構成される。
【００４３】
昼用のタワー部２０、夜用のタワー部３０についても、朝用のタワー部１０と同様にそれぞれトレイ積層ユニット２、３、トレイ排出機構、及びセンサが設けられている。
【００４４】
マイコン制御部は、所定の薬剤の適用パターンに応じた服用プログラムが搭載されたマイクロコンピュータを備えている。マイコン制御部には、マイコン設定ボタン１０３、ギャードモータ１４７、ランプ１５１、異常表示ランプ１５２、液晶パネル１０９、及びセンサ６１がそれぞれ接続されている。昼用のタワー部２０のギャードモータ及びセンサ、夜用のタワー部３０のギャードモータ及びセンサも、マイコン制御部に接続されている。
【００４５】
なお、マイコン制御部、ランプ１５１、異常表示ランプ１５２、センサ６１、液晶パネル１０９、及びギャードモータ１４７は、バッテリーを駆動源としている。
【００４６】
マイコン設定ボタン１０３をボタン操作することにより、予めマイコン制御部に記憶された服用プログラムのうちいずれかを選択できるようになっている。マイコン設定ボタン１０３の各ボタンは各服用プログラムに対応しており、ボタン操作により一の服用プログラムを選択できるようになっている。
【００４７】
次に、上述の薬剤服用管理装置３００の動作を説明する。
【００４８】
まず、実施形態１と同様にして、ユーザーは各トレイに１回に服用する薬剤を収納し、各トレイをハウジング１０４内にセットする。次に、ユーザーは、マイコン設定ボタン１０３を押して、マイコン制御部に記憶された中から特定の服用プログラムを選択する。服用プログラムとしては、例えば、１日３回朝昼夜（６時、１２時、１８時）服用、１日２回朝夜（７時、１９時）服用、１日１回定刻（７時）服用、１日２回朝昼（７時、１２時）服用、等が挙げられる。
【００４９】
マイコン設定ボタン１０３を操作して、例えば１日３回朝昼夜（６時、１２時、１８時）服用のプログラムを選択してプログラムを開始させた場合について、図６のフローチャートを参照しながら説明する。
【００５０】
１日目朝服用時間（６時）になると、マイコン制御部は、ギャードモータ１４７及びランプ１５を駆動させる。すなわち、ギャードモータ１４７を駆動させてローラ１４３を回転させることにより、チェーン１４１がＡ方向に回動する。チェーン１４１に固定されたハンドル１４２は、トレイ１ａ’の受皿部の凹部５３に係合しているので、チェーン１４１の回動によってハンドル１４２がＡ方向に移動すると、トレイ１ａ’の正面側の先端部がトレイ排出口１８からＢ方向に突出する。これと同時に、マイコン制御部はランプ１５１に点灯信号を送信し、これによりランプ１５１が点灯して、ユーザーに薬剤の服用を告知する。
【００５１】
マイコン制御部は、ハンドル１４２がＡ方向に半回転した後、ギャードモータ１４７の駆動を停止させる。
【００５２】
ランプ１５１の点灯により服用すべき時間となったことを察知したユーザーは、トレイ排出口１８から突出したトレイ１ａ’の先端部を手で引き出して取り出し、そして、トレイ１ａ’の蓋部を開け、中に収納された１日目朝に服用すべき薬剤を取り出し、服用者は所定の方法で服用する。
【００５３】
ユーザーがトレイ１ａ’をハウジング１０４から取り出すと、センサ６１がこれを検知し、マイコン制御部にその信号を送信する。マイコン制御部では、トレイ１ａ’がハウジング１０４から取り出された時間を、服用した時間として記憶するとともに、該記憶したデータに基いて、次回の服用すべき最適時間を算出する。
【００５４】
具体的には、ユーザーがランプ１５１が点灯したにも拘わらずこれに気づかずに、定刻の６時から３時間後までに服用しなかった場合には、トレイ１ａ’を元の位置に戻す（Ｓ１、Ｓ２）。すなわち、ローラ１４３がＡ方向とは逆方向に回転することにより、トレイの引戻機構をなし、ハンドル１４２によってトレイ１ａ’を元の位置（トレイ排出口１８から突出しない状態）に戻す。一方、定刻の６時から３時間以内に服用した場合には、服用してから５時間後が１２時過ぎであるかどうかを判定し（Ｓ３）、５時間後が１２時より前であれば、昼の定刻の１２時となったときにトレイ２ａ’を送出させる（Ｓ４）。５時間後が１２時過ぎである場合には、朝用を服用してから５時間後に昼用のトレイ２ａ’を送出させる。
【００５５】
トレイが２ａ’送出された場合も、上記同様に、定刻の１２時から３時間後までに服用しなかった場合には、トレイ２ａ’を元の位置に戻す（Ｓ５、Ｓ６）。一方、定刻の１２時から３時間以内に服用した場合には、服用してから５時間後が１８時より前であれば、夜の定刻１８時となったときで、かつ２４時を過ぎていない場合（Ｓ８）にトレイ３ａ’を送出させる（Ｓ７、Ｓ１０）。服用してから５時間後が１８時過ぎである場合で、かつ２４時を過ぎていない場合（Ｓ８）、昼用を服用してから５時間後に夜用のトレイ３ａ’を送出させる（Ｓ１０）。
【００５６】
２４時を過ぎた場合には服用プログラムをリセットする（Ｓ９）。
【００５７】
トレイ３ａ’が送出されてから３時間後が２４時過ぎである場合であって、３ａ’が２４時までに服用された場合にはプログラムをリセットする（Ｓ１１、Ｓ１２、Ｓ９）。トレイ３ａ’が送出されてから３時間後が２４時過ぎであってかつ２４時までに服用されなかった場合にはトレイ３ａ’を元の位置に戻す（Ｓ１１、Ｓ１３）。一方、トレイ３ａ’が送出されてから３時間後が２４時過ぎでない場合、３時間後までに服用された場合にはリセットし（Ｓ１１、Ｓ１４、Ｓ１５）、３時間後までに服用されなった場合にはトレイ３ａ’を元の位置に戻す（Ｓ１１、Ｓ１４、Ｓ１６）。
【００５８】
薬剤服用管理装置３００を１週間使用し、２１個のトレイの全てがハウジング１０４から取り出された後は、再度所定の薬剤を各トレイに収納して、各トレイをハウジング１０４内にセットし、再度服用プログラムの設定を行なう。
【００５９】
なお、異常表示ランプ１５２は、本薬剤服用管理装置３００が故障した場合に、これを報知するために点灯（あるいは点滅）する。実施形態２においては、各トレイが送出される際にボイスコール（例えば、「お薬の時間ですよ。時間通り飲みましょう。」という音声を２回出力）を図示しない音声出力部から出力するようにしてもよい。さらに、バッテリーの電圧が一定以下に下がった場合に、異常表示ランプ１５２が点灯して報知するようにしてもよい。
【００６０】
本実施の形態においては、上記の構成を有しているので、各トレイに１回に服用すべき薬剤を収納し、このトレイを薬剤服用管理装置にセットし、服用プログラムを予め選択又は設定しておくだけで、服用すべき時間なると、自動的にランプが点灯し、服用すべき薬剤を収納したトレイがハウジングから突出するので、ユーザーが、服用時間、服用種類、服用量を誤ることがなく、薬剤の適用を適切に管理することができる。ランプが点灯（あるいは点滅）するので、ユーザーに注意が喚起され、飲み忘れることを防止することができる。また、センサにより、服用した時間（トレイをハウジングから取り出した時間）を検知して、これをマイコン制御部にて記憶し、この記憶した情報に基いて次の最適服用時間を自動的に算出するので、飲む時間を誤った後においても、注意を喚起しつつ、服用を促すことができるので、ユーザーはきわめて適切に薬剤の適用を管理することができる。
【００６１】
なお、上記においては、朝昼夜と１日３回薬剤を服用する場合を例にとって説明したが、例えば、朝夜と１日２回服用する場合には朝用のタワー部１０と夜用のタワー部３０にのみトレイをセットして使用してもよい。また、例えば、１日１回服用する場合は、朝用のタワー部１０、昼用のタワー部２０、夜用のタワー部３０のすべてにそれぞれ１回に服用すべき薬剤を収納し、２１日間にわたり服用を管理してもよい。
【００６２】
また、トレイ積層ユニットは７つのトレイの積層からなる場合に限定されず、例えば、１４つのトレイの積層からなってもよい。
【００６３】
また、服用を促すアラーム出力部は、ランプに限定されず、ブザー等であってもよい。
【００６４】
トレイの形状は、上記のものに限定されず、蓋部がなく受皿部のみからなるもの等であってもよい。
【発明の効果】
本発明の薬剤服用管理装置を用いれば、飲み忘れを防止することができ、また、服用者に薬剤の服用習慣が育成される。
【００６５】
また、薬剤を飲み忘れたと認識して、その後薬剤を飲みすぎることを未然に防止することができる。特に、心臓病、血圧に関わる薬剤のように、誤って飲みすぎると大事故に繋がるおそれのあるものについて、飲みすぎや誤飲を防止することができる。
【００６６】
また、病院や介護施設等において、他人の薬剤を謝って飲んでしまうことが防止される。
【図面の簡単な説明】
【図１】    実施形態１に係る薬剤服用管理装置の正面図である。
【図２】    図１のＩ−Ｉ断面図である。
【図３】    トレイのふたを開けた状態を示す斜視図である。
【図４】    実施形態２に係る薬剤服用管理装置の正面図である。
【図５】    図４のＩＩ−ＩＩ断面図である。
【図６】    １日３回朝昼夜（６時、１２時、１８時）服用のプログラムを選択してプログラムを開始させた場合のフローチャートである。
【符号の説明】
２００、３００      薬剤服用管理装置
１０４                  ハウジング
１０          朝用のタワー部
２０ 昼用のタワー部
３０                    夜用のタワー部
１、２、３              トレイ積層ユニット
１ａ〜１ｇ、２ａ〜２ｇ、３ａ〜３ｇ      トレイ
１０３                  マイコン設定ボタン
１５１                  ランプ
６１                    センサ
【図１】
0004685280.tif 000002
【図２】
0004685280.tif 000003
【図３】
0004685280.tif 000004
【図４】
0004685280.tif 000005
【図５】
0004685280.tif 000006
【図６】
0004685280.tif 000007